(57)【要約】【課題】ノイズに起因した接続変更の誤判定によるバスリセットすることをなくし、データ通信を継続することができるネットワークの制御方法及びインターフェース装置を提供する。【解決手段】同期ロスト判定回路４１が、ＤＶＤ再生装置１とフロント液晶表示装置２との間で同期ロストが発生したことを検出した時、タイマ４２が遷移時間を計時する。ノイズ判定回路４３はタイマ４２が計時した遷移時間が基準時間Ｔｋ以下の時には、フロント液晶表示装置２との間で物理的にその接続が切れたのではなく、静電気等のノイズにより論理的な接続が切れたと判定しバスリセットを実行させない。【選択図】図１
2010148055.tif 000002
【特許請求の範囲】
【請求項１】
バスケーブルを介して接続されてネットワークを構成した電子機器が他の電子機器との間の論理的な接続が切れて、その後、再接続されると、バスリセットを発生し、その再接続された電子機器を含む新たなネットワークを構築するネットワークの制御方法であって、
前記バスリセットを発生する時、他の電子機器との間の論理的な接続が切れた時から再接続するまでの時間が、予め定めた基準時間以下の時には、前記バスリセットを発生させないようにしたことを特徴とするネットワークの制御方法。
【請求項２】
バスケーブルを介して接続されてネットワークを構成した電子機器が他の電子機器との間の論理的な接続が切れて、その接続が切れたことに基づくバスリセットを発生し、その切られた電子機器を除いた新たなネットワークを構築し、その後、再接続されると、その再接続に基づくバスリセットを発生し、再接続された電子機器を含む新たなネットワークを構築するネットワークの制御方法であって、
前記他の電子機器との間の論理的な接続が切れた時、その接続が切れたことに基づくバスリセットの発生を抑制し、切られた電子機器を除いた新たなネットワークの構築を中止して、
前記再接続に基づくバスリセットを発生する時、前記他の電子機器との間の論理的な接続が切れた時から再接続するまでの時間が、予め定めた基準時間以下の時には、前記バスリセットを発生させないようにしたことを特徴とするネットワークの制御方法。
【請求項３】
バスケーブルを介して接続されてネットワークを構成した電子機器が他の電子機器との間の論理的な接続が切れたことによってバスリセットを発生しその切られた電子機器を除いた新たなネットワークを構築するとともに、アクティブ・ステートからサスペンド・ステートを経てディスコネクト・ステートになり、
その後、他の電子機器からのトーン信号が入力されることによって前記ディスコネクト・ステートからアンテスト・ステートを経て前記アクティブ・ステートなると、バスリセットを発生しその接続された他の電子機器を含む新たなネットワークを構築するネットワークの制御方法であって、
前記他の電子機器との間の論理的な接続が切れたことに基づくバスリセットの発生を抑制し、その切られた電子機器を除いた新たなネットワークの構築を中止し、
前記ディスコネクト・ステートからアクティブ・ステートになってバスリセットを発生する時、他の電子機器との間の論理的な接続が切れたことを判定した時から前記アクティブ・ステートに遷移するまでの遷移時間が、予め定めた基準時間以下の時には、前記バスリセットを発生させないようにしたことを特徴とするネットワークの制御方法。
【請求項４】
バスケーブルを介して接続されてネットワークを構成した電子機器が他の電子機器との間の論理的な接続が切れたことによってバスリセットを発生しその切られた電子機器を除いた新たなネットワークを構築するとともに、アクティブ・ステートからサスペンド・ステートを経てディスコネクト・ステートになり、その後、他の電子機器からのトーン信号が入力されることによって前記ディスコネクト・ステートからアンテスト・ステートを経て前記アクティブ・ステートなると、バスリセットを発生し、その接続された他の電子機器を含む新たなネットワークを構築するインターフェース装置であって、
前記他の電子機器との間の論理的な切断が切れたことを判定する同期ロスト判定回路と、
前記同期ロスト判定回路が論理的な接続が切れたと判定した時、前記論理的な接続がきれた時から前記アクティブ・ステートに遷移するまでの遷移時間を計時するタイマと、
前記タイマの計時した前記遷移時間が予め定めた基準時間以下の時にはバスリセットの発生を中止するノイズ判定回路と
を備えたことを特徴とするインターフェース装置。
【請求項５】
請求項４に記載のインターフェース装置において、
前記同期ロスト判定回路が論理的な接続が切れたと判定した時、その切れた電子機器を除いた新たなネットワークを構築するためのバスリセットの発生を抑制するバスリセット抑制回路を備えたことを特徴とするインターフェース装置。
【発明の詳細な説明】
【技術分野】
【０００１】
この発明は、ネットワークの制御方法及びインターフェース装置に関する。
【背景技術】
【０００２】
ＩＥＥＥ１３９４インターフェースを用いたネットワークシステムは、ホット・プラグ機能を備え、システムの稼働中のままでネットワークに新たな電子機器の接続や取り外しでき、その利便性からオフィスや家庭等で広く普及している。ホット・プラグ機能は、ネットワークに電子機器の新たな接続または取り外しがあったとき、データ伝送を一時停止し、バスリセットを行う。バスリセットはバスの初期化、ツリーの識別、自己識別を行い、新たなネットワークの構築を行うものである。
【０００３】
そして、ＩＥＥＥ１３９４インターフェースを用いたネットワークシステムにおいて、電子機器間を無線通信で接続したシステム構成も提案されている。このワイヤレスのＩＥＥＥ１３９４インターフェースにおいては、一瞬通信が途絶え電子機器間の接続が切れたとみなされた場合、直ちに、バスリセットさせることなく、ダミーデータを生成し、あたかも電子機器間で通信が行われているようにみせてバスリセットが行われないデータシステムも提案されている（特許文献１）。
【０００４】
また、ＩＥＥＥ１３９４ｂ−２００２規格をベースにしたＩＤＢ１３９４（車載用１３９４）規格のインタ−フェースを用いたデータシステムが、自動車に搭載された各電子機器間のシステム構築に利用されている。自動車には、送受信機、ナビゲーション装置、ディスプレイ装置、ＤＶＤ装置、オーディオ装置等の各種電子機器が搭載されている。これら各電子機器をＩＥＥE１３９４（ＩＤＢ１９３４）規格に準拠したバスケーブルで接続し、バスケーブルを介してデータの授受を電子機器間で行うようにしたデータシステムである。
【０００５】
自動車に構築されるデータシステムは、一旦システムが構築されると、電子機器の接続の変更は、ほとんど行われないので、バスリセットがほとんどない。そのため、例えば、後部座席に設置したディスプレイ装置にてＤＶＤを鑑賞しているときに、バスリセットが起きないので画質が損なわれることはない。
【特許文献１】特開２００４−１７２６６４号公報
【発明の開示】
【発明が解決しようとする課題】
【０００６】
ところで、自動車に構築されるデータシステムは、一度構築したら電子機器の接続変更がほとんどなくそれに伴うバスリセットもない。
しかしながら、オフィスや家庭とは相違して、自動車は、静電気等のノイズ発生源が非常に多く、頻繁に静電気が発生するという特有の環境である。従って、バスケーブルに静電気が頻繁にのる可能性も高くなり、頻繁に電子機器間の接続変更がなされたと誤判定される問題が発生する。つまり、バスケーブルに静電気がのり、該ノイズによりバスケーブルを流れるデータが消失し同期ロストが発生すると、電子機器の切断と誤判定される。この誤判定が、頻繁に発生すると、バスリセット処理も頻繁に行われることになる。その結果、映像データを転送している時に、バスリセットが発生すると、ディスプレイ装置に表示される画像が損なわれる問題が生じる。
【０００７】
そのため、自動車で構築されるシステムでは、静電気によるバスリセットが重要な問題となっていた。
ネットワークの制御方法及びインターフェース装置は、ノイズに起因したバスリセットによる接続変更の誤判定をなくし、データ通信を継続することができることを目的とする。
【課題を解決するための手段】
【０００８】
ネットワークの制御方法は、バスケーブルを介して接続されてネットワークを構成した電子機器が他の電子機器との間の論理的な接続が切れて、その後、再接続されると、バスリセットを発生し、その再接続された電子機器を含む新たなネットワークを構築するネットワークの制御方法であって、前記バスリセットを発生する時、他の電子機器との間の論理的な接続が切れた時から再接続するまでの時間が、予め定めた基準時間以下の時には、前記バスリセットを発生させないようにした。
【０００９】
この構成によれば、他の電子機器との間で、論理的な接続が切れ再接続される毎に実行されるバスリセットをなくすことができ、データ通信を継続することができる。
従って、他の電子機器との間で物理的接続が切れたのではなく、静電気等のノイズにより一瞬の間、論理的な接続が切れた場合には、無用なバスリセットが行われないため、データ転送がバスリセットにより中断されることなく続行させることができる。
【００１０】
ネットワークの制御方法は、バスケーブルを介して接続されてネットワークを構成した電子機器が他の電子機器との間の論理的な接続が切れて、その接続が切れたことに基づくバスリセットを発生し、その切られた電子機器を除いた新たなネットワークを構築し、その後、再接続されると、その再接続に基づくバスリセットを発生し、再接続された電子機器を含む新たなネットワークを構築するネットワークの制御方法であって、前記他の電子機器との間の論理的な接続が切れた時、その接続が切れたことに基づくバスリセットの発生を抑制し、切られた電子機器を除いた新たなネットワークの構築を中止して、前記再接続に基づくバスリセットを発生する時、前記他の電子機器との間の論理的な接続が切れた時から再接続するまでの時間が、予め定めた基準時間以下の時には、前記バスリセットを発生させないようにした。
【００１１】
この構成によれば、他の電子機器との間で論理的な接続が切れる毎に実行されるその切られた電子機器を除いた新たなネットワークを構築するためのバスリセット、及び、再接続される毎に実行される再接続された電子機器を含む新たなネットワークを構築するためのバスリセットをなくすことができ、データ通信を継続することができる。
【００１２】
従って、他の電子機器との間で物理的接続が切れたのではなく、静電気等のノイズにより一瞬の間、論理的な接続が切れた場合には、無用なバスリセットが行われないため、データ転送がバスリセットにより中断されることなく続行させることができる。
【００１３】
ネットワークの制御方法は、バスケーブルを介して接続されてネットワークを構成した電子機器が他の電子機器との間の論理的な接続が切れたことによってバスリセットを発生しその切られた電子機器を除いた新たなネットワークを構築するとともに、アクティブ・ステートからサスペンド・ステートを経てディスコネクト・ステートになり、その後、他の電子機器からのトーン信号が入力されることによって前記ディスコネクト・ステートからアンテスト・ステートを経て前記アクティブ・ステートなると、バスリセットを発生しその接続された他の電子機器を含む新たなネットワークを構築するネットワークの制御方法であって、前記他の電子機器との間の論理的な接続が切れたことに基づくバスリセットの発生を抑制し、その切られた電子機器を除いた新たなネットワークの構築を中止し、前記ディスコネク・ステートからアクティブ・ステートになってバスリセットを発生する時、他の電子機器との間の論理的な接続が切れたことを判定した時から前記アクティブ・ステートに遷移するまでの遷移時間が、予め定めた基準時間以下の時には、前記バスリセットを発生させないようにした。
【００１４】
この構成によれば、他の電子機器との間で論理的な接続が切れたことによってその切られた電子機器を除いた新たなネットワークを構築するためのバスリセットの発生を抑制するとともに、再接続されたことによってその接続された他の電子機器を含む新たなネットワークを構築するためのバスリセットをなくすことができ、データ通信を継続することができる。
【００１５】
従って、他の電子機器との間で物理的接続が切れたのではなく、静電気等のノイズにより一瞬の間、論理的な接続が切れた場合には、無用なバスリセットが行われないため、データ転送がバスリセットにより中断されることなく続行させることができる。
【００１６】
インターフェース装置は、バスケーブルを介して接続されてネットワークを構成した電子機器が他の電子機器との間の論理的な接続が切れたことによってバスリセットを発生しその切られた電子機器を除いた新たなネットワークを構築するとともに、アクティブ・ステートからサスペンド・ステートを経てディスコネクト・ステートになり、その後、他の電子機器からのトーン信号が入力されることによって前記ディスコネクト・ステートからアンテスト・ステートを経て前記アクティブ・ステートなると、バスリセットを発生し、その接続された他の電子機器を含む新たなネットワークを構築するインターフェース装置であって、前記他の電子機器との間の論理的な切断が切れたことを判定する同期判定ロスト定回路と、前記同期判定ロスト定回路が論理的な接続が切れたと判定した時、前記論理的な接続がきれた時から前記アクティブ・ステートに遷移するまでの遷移時間を計時するタイマと、前記タイマの計時した前記遷移時間が予め定めた基準時間以下の時にはバスリセットの発生を中止するノイズ判定回路とを備えた。
【００１７】
この構成によれば、他の電子機器との間で物理的接続が切れたのではなく、静電気等のノイズにより論理的な接続が切れた場合、物理的な接続が切れたとみなされない。そして、再び論理的接続がなされるまでの遷移時間は、他の電子機器との間で物理的接続が切れ、再び物理的接続がなされた場合の遷移時間より、はるかに短い。
【００１８】
そして、静電気等のノイズにより論理的な接続が切れたことによって物理的な接続が切れたとみなされ、再び物理的接続がなされてアクティブ・ステートに遷移するまでに要する時間を基準時間とする。これによって、遷移時間が基準時間以下の時は、他の電子機器との間で物理的接続が切れたのではなく、静電気等のノイズにより論理的な接続が切れたと判定することができる。
【００１９】
従って、ノイズ判定回路は、タイマが計時した遷移時間が基準時間以下の時には、他の電子機器との間で物理的接続が切れたのではなく、静電気等のノイズにより論理的な接続が切れたと判定しバスリセットを実行させない。
【００２０】
従って、他の電子機器との間で物理的接続が切れたのではなく、静電気等のノイズにより一瞬の間、論理的な接続が切れた場合には、無用なバスリセットが行われないため、データ転送をバスリセットにより中断されることなく続行させることができる。
【００２１】
また、記載のインターフェース装置において、前記同期ロスト判定回路が論理的な接続が切れたと判定した時、その切れた電子機器を除いた新たなネットワークを構築するためのバスリセットの発生を抑制するバスリセット抑制回路を備えた。
【００２２】
この構成によれば、他の電子機器との間で静電気等のノイズにより論理的な接続が切れた場合には、その切られた電子機器を除いた新たなネットワークを構築するためのバスリセットをなくすことができ、データ通信を継続することができる。
【発明の効果】
【００２３】
開示したネットワークの制御方法及びインターフェース装置は、ノイズに起因した接続変更の誤判定によるバスリセットすることをなくし、データ通信を継続することができる。
【発明を実施するための最良の形態】
【００２４】
以下、実施形態を図１及び図２に従って説明する。
図１は、自動車に設置したＤＶＤ再生装置１、フロント液晶表示装置２、リア液晶表示装置３のシステム構成を示し、シリアルインターフェースの一つであるＩＥＥＥ１３９４（ＩＤＢ１９３４）に準拠したデータ転送を行うネットワークシステムを概略的に示すブロック図である。
【００２５】
図１に示すように、ネットワークシステムは、ＤＶＤ再生装置１、フロント液晶表示装置２、リア液晶表示装置３は、ＩＥＥＥ１３９４バスケーブル（以下、バスケーブルという）４，５を介して互いに接続されてネットワークを構成している。
【００２６】
ＤＶＤ再生装置１は、バスケーブル４によってフロント液晶表示装置２と接続されている。また、ＤＶＤ再生装置１は、バスケーブル５によってリア液晶表示装置３と接続されている。そして、各装置１〜３は、バスケーブル４，５によって、デイジーチェーン型のトポロジ（システム構成）が形成されている。
【００２７】
ＤＶＤ再生装置１、フロント液晶表示装置２及びリア液晶表示装置３は、ＩＥＥＥ１３９４（ＩＤＢ１９３４）に準拠したデータ転送を可能にするためのインターフェース装置１０，２０，３０をそれぞれ備えている。
【００２８】
ＤＶＤ再生装置１のインターフェース装置１０は、第１及び第２ポート１１，１２、第１及び第２物理層処理回路１３，１４、リンク層及びアプリケーション層等の上位層処理回路１５を備えている。また、フロント液晶表示装置２のインターフェース装置２０は、第１及び第２ポート２１，２２、第１及び第２物理層処理回路２３，２４、リンク層及びアプリケーション層等の上位層処理回路２５を備えている。さらに、リア液晶表示装置３のインターフェース装置３０は、同様に、第１及び第２ポート３１，３２、第１及び第２物理層処理回路３３，３４、リンク層及びアプリケーション層等の上位層処理回路３５を備えている。
【００２９】
そして、ＤＶＤ再生装置１（インターフェース装置１０）の第１ポート１１とフロント液晶表示装置２（インターフェース装置２０）の第２ポート２２との間に、バスケーブル４が接続されている。また、ＤＶＤ再生装置１（インターフェース装置１０）の第２ポート１２とリア液晶表示装置３（インターフェース装置３０）の第１ポート３１との間に、バスケーブル５が接続されている。
【００３０】
ＤＶＤ再生装置１に備えたインターフェース装置１０の第１及び第２ポート１１，１２は、それぞれ受信回路１１ａ，１２ａ及び送信回路１１ｂ、１２ｂを備えている。
第１ポート１１の受信回路１１ａは、バスケーブル４を介してフロント液晶表示装置２の第２ポート２２から送信される信号（パケットデータやトーン信号）を装置内部で扱う電気信号に変換（デコード）し、その変換した電気信号を第１物理層処理回路１３に出力する。また、第１ポート１１の送信回路１１ｂは、第１物理層処理回路１３から出力される信号（パケットデータやトーン信号）をコード変換し、そのコード変換した電気信号を、バスケーブル４を介して、フロント液晶表示装置２の第１ポート２１に送信する。
【００３１】
一方、第２ポート１２の受信回路１２ａは、バスケーブル５を介してリア液晶表示装置３の第１ポート３１から送信される信号（パケットデータやトーン信号）を装置内部で扱う電気信号に変換（デコード）し、その変換した電気信号を第２物理層処理回路１４に出力する。また、第２ポート１２の送信回路１２ｂは、第２物理層処理回路１４から出力される信号（パケットデータやトーン信号）をコード変換し、そのコード変換した電気信号を、バスケーブル５を介して、リア液晶表示装置３の第１ポート３１に送信する。
【００３２】
インターフェース装置１０の第１物理層処理回路１３は、第１ポート１１の受信回路１１ａから入力されたパケットデータを上位層処理回路１５に出力する。また、第１物理層処理回路１３は、上位層処理回路１５からのパケットデータを第１ポート１１の送信回路１１ｂに出力する。一方、インターフェース装置１０の第２物理層処理回路１４は、第２ポート１２の受信回路１２ａから入力されたパケットデータを上位層処理回路１５に出力する。また、第２物理層処理回路１４は、上位層処理回路１５からのパケットデータを第２ポート１２の送信回路１２ｂに出力する。
【００３３】
ＤＶＤ再生装置１（インターフェース装置１０）の上位層処理回路１５は、第１物理層処理回路１３から入力したパケットデータが、第２ポート１２を介してリア液晶表示装置３に送信するデータのとき、該データを、第２物理層処理回路１４を介して第２ポート１２に出力する。また、上位層処理回路１５は、第２物理層処理回路１４から入力されたパケットデータが、第１ポート１１を介してフロント液晶表示装置２に送信するデータのとき、該データを、第１物理層処理回路１３を介して、第１ポート１１に出力する。
【００３４】
さらに、上位層処理回路１５は、第１物理層処理回路１３から入力したパケットデータが、バスケーブル４を介してフロント液晶表示装置２との間でのデータ授受のときには、該データを取込み信号処理してその処理したデータを第１物理層処理回路１３、及び、第１ポート１１を介してフロント液晶表示装置２に送信するようになっている。同様に、上位層処理回路１５は、第２物理層処理回路１４から入力したパケットデータが、バスケーブル５介してリア液晶表示装置３との間でのデータ授受のときには、該データを取込み信号処理してその処理したデータを第２物理層処理回路１４、及び、第２ポート１２を介してリア液晶表示装置３に送信するようになっている。
【００３５】
そして、このように構成されたＤＶＤ再生装置１のインターフェース装置１０は、上位層処理回路１５を介して、該インターフェース装置１０を統括制御するマイクロコンピュータの中央処理装置（ＣＰＵ）１６との間で各種のデータ授受を行うようになっている。
【００３６】
フロント液晶表示装置２（インターフェース装置２０）の第１及び第２ポート２１，２２は、それぞれ受信回路２１ａ，２２ａ及び送信回路２１ｂ，２２ｂを備えている。
第１ポート２１の受信回路２１ａは、図示しない外部装置から送信される信号（パケットデータやトーン信号）を装置内部で扱う電気信号に変換（デコード）し、その変換した電気信号を第１物理層処理回路２３に出力するようになっている。また、第１ポート２１の送信回路２１ｂは、第１物理層処理回路２３から出力される信号（パケットデータやトーン信号）をコード変換し、そのコード変換した電気信号を、図示しない外部装置に送信するようになっている。
【００３７】
一方、第２ポート２２の受信回路２２ａは、バスケーブル４を介して、ＤＶＤ再生装置１の第１ポート１１の送信回路１１ｂから送信される信号（パケットデータやトーン信号）を装置内部で扱う電気信号に変換（デコード）し、その変換した電気信号を第２物理層処理回路２４に出力する。また、第２ポート２２の送信回路２２ｂは、第２物理層処理回路２４から出力される信号（パケットデータやトーン信号）をコード変換し、そのコード変換した電気信号を、バスケーブル４を介して、ＤＶＤ再生装置１の第１ポート１１の受信回路１１ａに送信する。
【００３８】
インターフェース装置２０の第１物理層処理回路２３は、第１ポート２１の受信回路２１ａから入力されたパケットデータを上位層処理回路２５に出力する。また、第１物理層処理回路２３は、上位層処理回路２５からのパケットデータを第１ポート２１の送信回路２１ｂに出力する。一方、インターフェース装置２０の第２物理層処理回路２４は、第２ポート２２の受信回路２２ａから入力されたパケットデータを上位層処理回路２５に出力する。また、第２物理層処理回路２４は、上位層処理回路２５からのパケットデータを第２ポート２２の送信回路２２ｂに出力する。
【００３９】
フロント液晶表示装置２（インターフェース装置２０）の上位層処理回路２５は、第１物理層処理回路２３から入力したパケットデータが、第２ポート２２を介してＤＶＤ再生装置１に送信するデータのとき、該データを、第２物理層処理回路２４を介して、第２ポート２２に出力する。また、上位層処理回路２５は、第２物理層処理回路２４から入力されたパケットデータが、第１ポート２１を介して外部装置に送信するデータのとき、該データを、第１物理層処理回路２３を介して、第１ポート２１に出力する。
【００４０】
また、上位層処理回路２５は、第１物理層処理回路２３から入力したパケットデータが、第１ポート２１を介して外部装置との間でのデータ授受のときには、該データを取込み信号処理してその処理したデータを第１物理層処理回路２３、及び、第１ポート２１を介して外部装置に送信するようになっている。同様に、上位層処理回路２５は、第２物理層処理回路２４から入力したパケットデータが、バスケーブル４を介してＤＶＤ再生装置１との間でのデータ授受のときには、該データを取込み信号処理してその処理したデータを第２物理層処理回路２４、及び、第２ポート２２を介してＤＶＤ再生装置１に送信するようになっている。
【００４１】
そして、このように構成されたフロント液晶表示装置２のインターフェース装置２０は、上位層処理回路２５を介して、該インターフェース装置２０を統括制御するマイクロコンピュータの中央処理装置（ＣＰＵ）２６との間で各種のデータ授受を行うようになっている。
【００４２】
リア液晶表示装置３（インターフェース装置３０）の第１及び第２ポート３１，３２は、それぞれ受信回路３１ａ，３２ａ及び送信回路３１ｂ，３２ｂを備えている。
第１ポート３１の受信回路３１ａは、バスケーブル５を介して、ＤＶＤ再生装置１の第２ポート１２の送信回路１２ｂから送信される信号（パケットデータやトーン信号）を装置内部で扱う電気信号に変換（デコード）し、その変換した電気信号を第１物理層処理回路３３に出力する。また、第１ポート３１の送信回路３１ｂは、第１物理層処理回路３３から出力される信号（パケットデータやトーン信号）をコード変換し、そのコード変換した電気信号を、バスケーブル５を介して、ＤＶＤ再生装置１の第２ポート１２の受信回路に送信する。
【００４３】
一方、第２ポート３２の受信回路３２ａは、外部装置から送信される信号（パケットデータやトーン信号）を装置内部で扱う電気信号に変換（デコード）し、その変換した電気信号を第２物理層処理回路３４に出力するようになっている。また、第２ポート３２の送信回路３２ｂは、第２物理層処理回路３４から出力される信号（パケットデータやトーン信号）をコード変換し、そのコード変換した電気信号を、外部装置に送信するようになっている。
【００４４】
インターフェース装置３０の第１物理層処理回路３３は、第１ポート３１の受信回路３１ａから入力されたパケットデータを上位層処理回路３５に出力する。また、第１物理層処理回路３３は、上位層処理回路３５からのパケットデータを第１ポート３１の送信回路３１ｂに出力する。一方、インターフェース装置３０の第２物理層処理回路３４は、第２ポート３２の受信回路３２ａから入力されたパケットデータを上位層処理回路３５に出力する。また、第２物理層処理回路３４は、上位層処理回路３５からのパケットデータを第２ポート３２の送信回路３２ｂに出力する。
【００４５】
リア液晶表示装置３（インターフェース装置３０）の上位層処理回路３５は、第１物理層処理回路３３から入力したパケットデータが、第２ポート３２を介して図示しない外部装置に送信するデータのとき、該データを、第２物理層処理回路３４を介して、第２ポート３２に出力するようになっている。また、上位層処理回路３５は、第２物理層処理回路３４から入力されたパケットデータが、第１ポート３１を介してＤＶＤ再生装置１に送信するデータのとき、該データを、第１物理層処理回路３３を介して、第１ポート３１に出力する。
【００４６】
また、上位層処理回路３５は、第１物理層処理回路３３から入力したパケットデータが、第１ポート２１を介してＤＶＤ再生装置１との間でのデータ授受のときには、該データを取込み信号処理してその処理したデータを第１物理層処理回路３３、及び、第１ポート３１を介してＤＶＤ再生装置１に送信するようになっている。同様に、上位層処理回路３５は、第２物理層処理回路３４から入力したパケットデータが、第２ポート３２を介して外部装置との間でのデータ授受のときには、該データを取込み信号処理してその処理したデータを第２物理層処理回路３４、及び、第２ポート３２を介して外部装置に送信するようになっている。
【００４７】
そして、このように構成されたリア液晶表示装置３のインターフェース装置３０は、上位層処理回路３５を介して、該インターフェース装置３０を統括制御するマイクロコンピュータの中央処理装置（ＣＰＵ）３６との間で各種のデータ授受を行うようになっている。
【００４８】
各インターフェース装置１０，２０，３０の第１及び第２物理層処理回路１３〜３４には、同期化判定回路４１、タイマ４２、及び、ノイズ判定回路４３がそれぞれ設けられている。
【００４９】
なお、第１及び第２物理層処理回路１３〜３４に設けた同期化判定回路４１、タイマ４２及びノイズ判定回路４３は、具体的に回路構成が同じである。従って、説明の便宜上、インターフェース装置１０の第１物理層処理回路１３に備えた同期化判定回路４１、タイマ４２、及び、ノイズ判定回路４３について説明する。そして、他の第１及び第２物理層処理回路１４〜３４の同期化判定回路４１、タイマ４２及びノイズ判定回路４３について、その詳細な説明を省略する。
【００５０】
第１物理層処理回路１３に備えた同期ロスト判定回路及びバスリセット抑制回路としての同期化判定回路４１は、送信側（フロント液晶表示装置２）から送信されるコード信号を受信側（ＤＶＤ再生装置１）で受信できず、同期ロストが生じ論理的な接続が切れたかどうかを判定する回路である。同期ロストは、送信側から送信されるコード信号が受信側で予め用意されたコード変換表にないコード信号を受信したときに発生する。
【００５１】
具体的には、第１物理層処理回路１３の同期化判定回路４１は、カウンタを備えている。カウンタは、第１ポート１１の受信回路１１ａが、フロント液晶表示装置２の第２ポート２２の送信回路２２ｂから送信されるコード信号を変換（デコード）した時、そのデコード変換した信号が第１ポート１１の受信回路１１ａで用意されたコード変換表に無い無効な信号が発生したとき、その数をカウンタにてカウントする。このとき、２個連続して有効なコード信号を受信すると、カウンタから「１」減算するようになっている。そして、カウンタのカウント値が予め定められた数（例えば「４」）に達した時、同期化判定回路４１は、同期ロストと、即ち、フロント液晶表示装置２との間での論理的な接続が切れた判定する。
【００５２】
同期化判定回路４１は同期ロストと判定すると、第１物理層処理回路１３を介して上位層処理回路１５に対してバスリセット処理をしないようにするための抑止信号を上位層処理回路１５に出力する。この時点では、同期化判定回路４１の判定は、フロント液晶表示装置２との間での物理的な接続が切れたことに起因するものなのか、物理的にその接続を切られのではなく、静電気等のノイズにより論理的にその接続が切れたことに起因したものかわからない。そのため、第１物理層処理回路１３は、この時点では抑止信号を出力して上位層処理回路１５に対してバスリセット処理をしないようにしている。従って、この時点では、フロント液晶表示装置２を除いたＤＶＤ再生装置１とリア液晶表示装置３との間の新たなトポロジーの構築のためのバスリセットは行われない。
【００５３】
第１物理層処理回路１３は、同期化判定回路４１が同期ロストと判定すると、データ転送可能状態（アクティブ・ステート）から中断状態（サスペンド・ステート）を経て、フロント液晶表示装置２と物理的に接続されていない状態（ディスコネクト・ステート）になる。
【００５４】
そして、再び、ＤＶＤ再生装置１とフロント液晶表示装置２とがバスケーブル４を介して接続されると（物理的に再接続されると）、第１物理層処理回路１３は、データ転送準備状態（アンテスト・ステート）を経て、データ転送可能状態（アクティブ・ステート）となる。そして、第１物理層処理回路１３は、データ転送可能状態（アクティブ・ステート）になると、上位層処理回路１５に対して、バスリセット信号を出力しバスリセットを発生させるようになっている。
【００５５】
上位層処理回路１５は、第１物理層処理回路１３からのバスリセット信号を入力すると、バスリセット処理を行った後、第１物理層処理回路１３に対してパケットデータ転送を可能にする。
【００５６】
第１物理層処理回路１３はタイマ４２を備えている。第１物理層処理回路１３は、同期化判定回路４１が同期ロストと判断すると、タイマ４２の計時動作を開始させる。そして、タイマ４２は、第１物理層処理回路１３が前記データ転送準備状態（アンテスト・ステート）を経て、データ転送可能状態（アクティブ・ステート）となった時、計時動作を停止するようになっている。つまり、タイマ４２は、同期化判定回路４１が同期ロストと判定した時からデータ転送可能状態（アクティブ・ステート）となるまでの時間（遷移時間Ｔｎ）を計時する。
【００５７】
第１物理層処理回路１３はノイズ判定回路４３を備えている。ノイズ判定回路４３は、同期化判定回路４１による同期ロストの判定が、バスケーブル４を物理的に外したのではなくバスケーブル４に静電気等のノイズがバスケーブル４に瞬間的にのり一瞬の間データにノイズが乗ることによって生じた同期ロストか、バスケーブル４を物理的に外したことよる同期ロストかを判定する回路である。
【００５８】
ノイズ判定回路４３は、第１物理層処理回路１３が前記アンテスト・ステートを経て、アクティブ・ステートとなった時、即ち、前記タイマ４２が計時動作を停止した時、その時のタイマ４２が計時した遷移時間Ｔｎと予め定めた基準時間Ｔｋ（例えば、６００ミリ秒）と比較する。
【００５９】
ここで、基準時間Ｔｋは、以下のように設定している。
バスケーブル４を外してフロント液晶表示装置２との間を物理的にその接続を切ったのではなく、静電気等のノイズにより論理的にその接続が切れたことによって物理的な接続が切れたとみなされた場合、遷移時間Ｔｎは、非常に短い。これは、もともと物理的接続されていることから、ディスコネクト・ステートからアンテスト・ステートに遷移する時間が非常に短いため、遷移時間Ｔｎは、短くなる。
【００６０】
これに対して、バスケーブル４を外して物理的接続が切れた場合、再び物理的接続が必要なため遷移時間Ｔｎは非常に長くなる。これは、再び物理的接続が必要なことから、ディスコネクト・ステートからアンテスト・ステートに遷移する時間が非常に長いため、遷移時間Ｔｎは、長くなる。
【００６１】
そして、本実施形態では、フロント液晶表示装置２との間を物理的接続が切れたのではなく、静電気等のノイズにより論理的な接続が切れた場合のアクティブ・ステートに遷移するまでに要する時間を試験または理論的にて予め求めて基準時間Ｔｋとしている。従って、遷移時間Ｔｎが基準時間Ｔｋ以下の時は、フロント液晶表示装置２との間において静電気等のノイズにより論理的な接続が切れたと判定することができる。
【００６２】
つまり、ノイズ判定回路４３は、遷移時間Ｔｎが基準時間Ｔｋ以下であるとき、同期ロストはノイズにより生じたものと判定する。反対に、ノイズ判定回路４３は、遷移時間Ｔｎが基準時間Ｔｋを超えるとき、同期ロストはバスケーブル４が物理的にその接続が切れた（バスケーブル４が外された）ことにより生じたものと判定する。
【００６３】
そして、バスケーブル４が外されたことにより同期ロストが生じたものとノイズ判定回路４３が判定すると、第１物理層処理回路１３は、直ちに、上位層処理回路１５にバスリセット信号を出力する。第１物理層処理回路１３は、上位層処理回路１５がバスリセット信号に応答してバスリセット処理を実行して新たなトポロジーを構築するまで、パケットデータの転送を待つ。
【００６４】
反対に、ノイズにより同期ロストが生じたものとノイズ判定回路４３が判定すると、第１物理層処理回路１３は、バスリセット信号を上位層処理回路１５に出力しない。つまり、ノイズによる同期ロストは、ＤＶＤ再生装置１とフロント液晶表示装置２とが物理的にその接続されなくなったのではなく、ノイズによって一瞬の間だけパケットデータの授受ができなくなって生じたもので、トポロジーが変更されたものではない。従って、第１物理層処理回路１３は、上位層処理回路１５にバスリセットさせることなく、即ち、新たなトポロジーを構築することなく、引き続きパケットデータの転送を続行する。
【００６５】
次に、ノイズによる同期ロスト発生に基づく処理動作を図２に示すフローチャートに従って説明する。なお、説明の便宜上、ＤＶＤ再生装置１の第１物理層処理回路１３の処理動作について説明する。
【００６６】
今、第１物理層処理回路１３は、同期化判定回路４１がフロント液晶表示装置２との間で同期ロストが発生したと判定すると（ステップＳ１）、バスリセットを抑止するための抑止信号を上位層処理回路１５に出力するとともに、タイマ４２を計時動作させる（ステップＳ２、Ｓ３）。
【００６７】
これによって、上位層処理回路１５は、同期ロストが発生したことによって、直ちに、フロント液晶表示装置２を除いたＤＶＤ再生装置１とリア液晶表示装置３との間の新たなトポロジーの構築のためのバスリセットは行なわない。
【００６８】
続いて、第１物理層処理回路１３は、アクティブ・ステートからサスペンド・ステートを経てフロント液晶表示装置２との間の論理的な接続の停止のための処理を完了し（ステップＳ４）、ディスコネクト・ステートに遷移した後（ステップＳ５）、新たな装置（フロント液晶表示装置２を含む）との間でバスケーブル４を介しての再接続が行われてそのためのトーン信号があったかどうかチェックする（ステップＳ６）。
【００６９】
このとき、ノイズによる同期ロストは、ＤＶＤ再生装置１とフロント液晶表示装置２とが物理的にその接続が切れたのではなく、ノイズによって一瞬の間だけパケットデータの授受ができなくなって生じたものなので、ＤＶＤ再生装置１とフロント液晶表示装置２との間でのトーン信号の授受は行われている。その結果、第１物理層処理回路１３は、直ちに、ディスコネクト・ステートからアンテスト・ステートに移る（ステップＳ７）。
【００７０】
そして、第１物理層処理回路１３は、アンテスト・ステートに移り、同期化処理及びループテストを実施した後、アクティブ・ステートに遷移する（ステップＳ８）。
続いて、第１物理層処理回路１３は、今まで計時動作していたタイマ４２の遷移時間Ｔｎを、ノイズ判定回路４３にて基準時間Ｔｋと比較させ、遷移時間Ｔｎが基準時間Ｔｋ以下かどうかチェックする（ステップＳ９）。即ち、第１物理層処理回路１３は、同期ロストが、バスケーブル４を物理的に外したのではなく一瞬の間データにノイズがのることによって生じたものかどうか判断する。
【００７１】
このとき、ノイズによる同期ロストは、ＤＶＤ再生装置１とフロント液晶表示装置２とが物理的にその接続が切れたのではなく、ノイズによって一瞬の間だけパケットデータの授受ができなくなって生じたものなので、遷移時間Ｔｎが基準時間Ｔｋ以下となる。
【００７２】
そして、遷移時間Ｔｎが基準時間Ｔｋ以下のとき、即ち、同期ロストがノイズによって生じたものであるとき（ステップＳ９でＹＥＳ）、第１物理層処理回路１３は、バスリセット信号を上位層処理回路１５に出力することなく、パケットデータの転送を続行する。
【００７３】
反対に、遷移時間Ｔｎが基準時間Ｔｋを超えるとき、即ち、同期ロストがバスケーブル４を物理的に外したことによって生じたものであって、再びバスケーブル４が接続されて遷移時間Ｔｎが大きく時間を要したとき（ステップＳ９でＮＯ）、第１物理層処理回路１３は、上位層処理回路１５にバスリセット信号を出力し上位層処理回路１５にバスリセット処理を実行させて新たなトポロジーを構築させた後（ステップＳ１０）、パケットデータ転送を可能にする。
【００７４】
以上、記述したように、本実施形態によれば、以下の効果を奏する。
（１）本実施形態によれば、同期ロストが発生した時、タイマ４２にて遷移時間Ｔｎを計時させ、ノイズ判定回路４３にてタイマ４２が計時した遷移時間Ｔｎが基準時間Ｔｋ以下の時には、フロント液晶表示装置２との間で物理的にその接続が切れたのではなく、静電気等のノイズにより論理的な接続が切れたと判定しバスリセットを実行させないようにした。
【００７５】
従って、静電気等のノイズにより論理的な接続が切れ、再び接続する毎に、フロント液晶表示装置２、リア液晶表示装置３及びＤＶＤ再生装置１との間の新たなトポロジーの構築のためのバスリセットがなくなり、パケットデータ転送を継続することができる。
【００７６】
（２）本実施形態によれば、同期ロストが発生した時、タイマ４２にて遷移時間Ｔｎを計時させるとともに、上位層処理回路１５に対してバスリセット処理をしないようにするための抑止信号を出力した。
【００７７】
従って、静電気等のノイズにより論理的にその接続が切れる毎に、リア液晶表示装置３とＤＶＤ再生装置１との間の新たなトポロジーの構築のためのバスリセットがなくなり、パケットデータ転送を継続することができる。
【００７８】
尚、前記実施形態は、以下の態様に変更してもよい。
○上記実施形態では、ネットワークに接続したＤＶＤ再生装置１、フロント液晶表示装置２及びリア液晶表示装置３に備えたインターフェース装置１０，２０，３０は、それぞれ第１及び第２物理層処理回路１３〜３４に、同期化判定回路４１、タイマ４２及びノイズ判定回路４３を設けた。
【００７９】
これを、例えば、図１に示す、フロント液晶表示装置２が、インターフェース装置２０の第１及び第２物理層処理回路２３，２４に、同期化判定回路４１、タイマ４２及びノイズ判定回路４３を設けない場合、前記同期ロストは発生した時、図２に示すフローチャートに示す動作を実行せず、従来通りのバスリセットを行う。
【００８０】
ＤＶＤ再生装置１は、フロント液晶表示装置２と接続された時のバスリセットの際に、フロント液晶表示装置２の機能、同期化判定回路４１、タイマ４２及びノイズ判定回路４３を有し、図２に示す処理動作を有する機能をフロント液晶表示装置２が備えているかコンフィギアＲＯＭを読み出し確認を行い、記憶する。そして、ＤＶＤ再生装置１は、フロント液晶表示装置２との間で、同期ロストが発生した時、コンフィギアＲＯＭで確認した内容から、同期化判定回路４１等を有したフロント液晶表示装置２か、同期化判定回路４１等を有しないフロント液晶表示装置２かを判断する。
【００８１】
そして、同期化判定回路４１等を有したフロント液晶表示装置２である場合には、図２に示す動作を実行し、同期化判定回路４１等を有しないフロント液晶表示装置２である場合には、図２に示すフローチャートに示す動作を実行せず、直ちにバスリセットを実行する。
【００８２】
従って、図２に示すフローチャートに示す機能を備えない電子機器とのネットワークを構築しても、支障なく従前通りのネットワークを構築することができる。
○上記実施形態では、自動車に搭載した複数の電子機器のネットワークに具体化した。これを、オフィスや家庭において設置した複数の電子機器のネットワークに具体化してもよい。
【００８３】
○上記実施形態では、インターフェース装置１０，２０，３０は、ＩＥＥＥ１３９４（ＩＤＢ１９３４）規格に準拠した装置に具体化したが、ホット・プラグ機能を持つ他のインターフェース装置に具体化して実施しても良い。
【００８４】
○上記実施形態では、ＤＶＤ再生装置１、フロント液晶表示装置２及びリア液晶表示装置３からなる３つの電子機器で構成したが、その数を特に制限されるものではなく、２又は４以上で構成してもよい。
【００８５】
○上記実施形態では、各インターフェース装置１０，２０，３０は、２つのポート（第１及び第２ポート）を設けたが、ポートを１つあるいは３つ以上設けるようにしてもよい。
【図面の簡単な説明】
【００８６】
【図１】ネットワークシステムを示すブロック図。
【図２】インターフェース装置の動作を説明するためのフローチャート。
【符号の説明】
【００８７】
１  ＤＶＤ再生装置
２  フロント液晶表示装置
３  リア液晶表示装置
４，５  バスケーブル
１０，２０，３０  インターフェース装置
１１，２１，３１  第１ポート
１２，２２，３２  第２ポート
１１ａ，２１ａ，３１ａ  受信回路
１１ｂ、２１ｂ、３１ｂ  送信回路
１３，２３，３３  第１物理層処理回路
１４，２４，３４  第２物理層処理回路
１５，２５，３５  上位層処理回路
４１  同期化判定回路
４２  タイマ
４３  ノイズ判定回路
Ｔｎ  遷移時間
【図１】
2010148055.tif 000003
【図２】
2010148055.tif 000004